(57)【要約】      （修正有）【課題】携帯電子機器のキャリーバッグのポケットの一つに、充電用ＵＳＢハブを収納し、該ポケットの開口部からＡＣアダプターのコンセントと充電接続のケーブルのコネクターを引き出せる棒にした携帯電子機器用のキャリーバッグを提供する。【解決手段】キャリーバッグは、携帯電子機器を収納するポケットが付いた面ｉと面ｊの２面を合わせることにより、その合わせた面の内側をセルフパワー充電用ＵＳＢハブを収納するスペースとし、キャリーバッグの側辺に開口部ｈを設け、電源コンセントａの出し入れを可能にした。キャリーバッグの上部辺にも開口部ｇを設け、携帯電子機器への充電接続ケーブルｄ，ｅ，ｆの出し入れを可能とした。開口部ｇと、ｈの部分には、面ファスナーまたはボタンホックを用い開閉可能にする。【選択図】図３
0003168460.tif 000002
【実用新案登録請求の範囲】
【請求項１】
複数の携帯電子機器を持ち歩く際、市販されているセルフパワー充電用ＵＳＢハブを収納するスペースを設け、複数の携帯電子機器を収納したままの状態で同時に充電することを可能にした携帯電子機器充電用キャリーバッグ。
【請求項２】
セルフパワー充電用ＵＳＢハブを収納するスペースの上部と側部に開口部を設け、その部分に面ファスナーまたはボタンホックを取り付け、開口部の開閉を可能にすることにより、充電に必要な電源コンセントコード、携帯電子機器に接続するＵＳＢケーブルのコードの出し入れと、固定することができる携帯電子機器充電用キャリーバッグ。
【考案の詳細な説明】
【技術分野】
【０００１】  本考案は、携帯電話機器・携帯音楽再生機器・携帯ゲーム機器・無線ＬＡＮ（登録商標）接続端末機器などの携帯電子機器を複数持ち歩く際、それぞれの充電器具を一緒に持ち歩くことなく、市販されているＵＳＢ（登録商標）の複数の接続ポートが付帯している充電専用機具（一般固有名称：セルフパワー充電用ＵＳＢハブ）をキャリーバッグの内部に収納し、それぞれの携帯電子機器のＵＳＢ対応の充電接続ケーブル（一般市販品）をセルフパワー充電用ＵＳＢハブのＵＳＢポートに接続させて使用することにより、外出先や勤務先など電源コンセント口がある場所にて、複数の携帯電子機器をキャリーバッグに収納したままの状態で、同時に充電できる携帯電子機器充電用キャリーバッグに関するものである。
【背景技術】
【０００２】  携帯電子機器も含め卓上電子機器も合わせ多くの電子機器の充電を卓上の電源中継を可能にしたもの（例えば、特許文献１参照）や、携帯電子機器の内臓電池を取り外すことなく、また外部電源に接続しないでも充電するもの（例えば、特許文献２参照）は、存在している。
【先行技術文献】
【特許文献】
【０００３】
【特許文献１】  特開２００７−１０３１６５
【特許文献２】  特開２００９−２４７１６１
【考案の概要】
【考案が解決しようとする課題】
【０００４】  日常生活の中で、携帯電話機器に加え携帯音楽再生機器、携帯ゲーム機器や無線ＬＡＮ接続端末機器など複数の電子機器を持ち歩く機会が増えている。自宅で充電する場合、それぞれの電子機器の専用充電器に接続し充電を行うか、市販されているセルフパワー充電用ＵＳＢハブに、ＵＳＢ対応の充電接続ケーブルで接続し、充電を行ったりしている。外出する際、旅先や勤務先に複数の電子機器と一緒にそれぞれの専用充電器を持ち歩くのは重量も重く、嵩も張り大変である。また、勤務先の職場に仕事中でも充電できるように、セルフパワー充電用ＵＳＢハブを設置し使用することは可能であるが、自宅と職場などに複数購入し設置するか、一緒に持ち歩いて使用しなければならない。携帯電子機器もそれぞれ個々の専用ケースに入れるか、そのままバッグなどに入れて持ち歩くので、複数の携帯電子機器と充電関連器具をばらばらに持ち歩かなければならない欠点と、複数の携帯電子機器の充電が煩雑で手間がかかる欠点を解決しようとするものである。
【課題を解決するための手段】
【０００５】  携帯電話機器、携帯音楽再生機器、携帯ゲーム機器、無線ＬＡＮ接続端末機器など複数の携帯電子機器を、収納するのに適したサイズ・形状のポケットを付けたキャリーバッグの内部に、セルフパワー充電用ＵＳＢハブを収納するスペースを設ける。そのスペースの上部と側部に開閉可能な開口部を付け、その開口部から携帯電子機器に接続するためのＵＳＢ対応の充電接続ケーブルのコネクターと、ＡＣアダプターのコンセントを取り出せるようにすることにより、持ち歩く携帯電子機器をキャリーバッグのポケットに収納したままの状態で、複数の携帯電子機器の充電を同時にすることが可能になり、自宅でも外出先（旅先、勤務先など）でも一般交流電源コンセント口のある場所であればどこでも充電することが可能になる。
【考案の効果】
【０００６】  上述したように、今までバッグの中でばらばらに入れて持ち歩いていた携帯電子機器が、丁度納まるサイズのポケットを本考案のキャリーバッグに付けることにより、決められた場所に収納することになり、持ち歩く携帯電子機器の整理整頓できるのである。【０００７】  本考案のキャリーバッグは、セルフパワー充電用ＵＳＢハブをバッグ内部に収納することにより、複数の携帯電子機器専用の充電器を一緒に持ち歩くことなく、自宅でも外出先でも一般交流電源コンセント口のある場所で、キャリーバッグに携帯電子機器を収納したままの状態で複数同時に充電できるのである。
【図面の簡単な説明】
【０００８】
【図１】  セルフパワー充電用ＵＳＢハブの説明図
【図２】  セルフパワー充電用ＵＳＢハブの収納エリア説明図
【図３】  本考案のキャリーバッグの構造を示す外観図
【図４】  本考案のキャリーバッグの使用形態を示す説明図
【図５】  本考案の開口部仕様を示す説明図
【図６】  本考案のキャリーバッグの形態パターンを示す説明図
【考案を実施するための形態】
【０００９】  以下、本考案の構造と使用形態を図１から図６に基づいて説明する。
【００１０】  図１は、市販されている複数の電子機器をＵＳＢ接続にて充電できる製品の説明図で、一般用交流電源コンセント口と接続する（ａ）コンセントと（ｂ）ＡＣアダプターと（ｃ）ＵＳＢハブ・ポートで構成され、それぞれを繋ぐ電気コードと一緒に販売されている。一般的な固有名称は、セルフパワー充電用ＵＳＢハブと呼ばれている。接続可能なＵＳＢポートは、４〜６個くらいの製品が多く種類も豊富なので、本考案のキャリーバッグを使用する際には、使用形態にあわせ市販されている製品から適切なものを選び容易に購入できる環境にある。（ｄ）（ｅ）（ｆ）は、別売品であり、携帯電子機器の充電のために必要なＵＳＢ対応の充電接続ケーブルである。携帯電子機器の種類にあわせて様々な製品が現在市販されているので、この充電接続ケーブルも使用する携帯電子機器に合わせて容易に購入できる環境にある。
【００１１】  図２は、市販されているセルフパワー充電用ＵＳＢハブの製品を、本考案のキャリーバッグの内部に収納する部分を説明した図であり、図３のキャリーバッグ外観図でそれらを収納する基本構造を示している。キャリーバッグは、携帯電子機器を収納するポケットが付いた（ｉ）面と（ｊ）面の２面を合わせることにより、その合わせた面の内側をセルフパワー充電用ＵＳＢハブを収納するスペースとし、キャリーバッグの側辺に開口部（ｈ）を設け、（ａ）の電源コンセントの出し入れを可能にした。キャリーバッグの上部辺にも開口部（ｇ）を設け、（ｄ）（ｅ）（ｆ）の携帯電子機器への充電接続ケーブルの出し入れを可能とした。開口部の（ｇ）と（ｈ）の部分には、面ファスナーまたはボタンホックを用い開閉を可能な仕様にしている。
【００１２】  図４は、本考案のキャリーバッグの使用例を説明した図である。開口部（ｇ）（ｈ）の開閉を面ファスナーまたはボタンホックで可能にすることにより、図のようにキャリーバックの（ｉ）面（ｊ）面に付いているポケットに携帯電子機器を収納し、充電接続ケーブル（ｄ）（ｅ）（ｆ）で接続する際、充電接続ポジションに合わせて自由に適した場所に適したケーブルの長さで留めることが可能になる。また、充電せずにキャリーバッグを持ち歩く場合には、（ａ）のコンセントを（ｈ）開口部の中に収納しコンセントを露出させることなく持ち歩くことができる。充電接続ケーブルの（ｄ）（ｅ）（ｆ）も、キャリーバッグを持ち歩く場合には、ポケットに収納された携帯電子機器に接続したままの状態か、接続せずに収納ポケットの隙間に収納するか、（ｇ）開口部の中に収納し持ち歩くことができる。
【００１３】  図５の（図５−１）は、（ｇ）（ｈ）の開口部の開閉を面ファスナーまたはボタンホックを用いた説明図で、面ファスナーは、面全てが脱着可能なファスナーで、キャリーバッグの（ｉ）面と（ｊ）面の内側に取り付ける。（ａ）コンセントのコード、（ｄ）（ｅ）（ｆ）の充電接続ケーブルのコードをどこの場所でも、面ファスナーで挟んで固定することができる。ボタンホックの場合は、ホックを付けてある場所と場所の間であれば、どこでも各コードの位置を固定することができる。（図５−２）は、開口部の面ファスナーとボタンホックの付け方が２種類ある説明図で、（ｋ）は、（ｉ）面と（ｊ）面を合わせた開口部を平合わせにした場合の図で、充電接続ケーブルは上向きの状態で留められる。（ｌ）は、開口部を図のように山折り合わせにした場合の図で、充電接続ケーブルは下向きの状態で留められる。
【００１４】  図６は、本考案のキャリーバッグの形態パターンを説明した図で、（図６−１）は、図３と図４で説明したものと同じ形態であり、（ｉ）面と（ｊ）面の２面を合わせて構成された基本構造がそのままキャリーバッグになったものである。（図６−２）は、手提げバッグやファスナー付きバッグなどの内部に本考案のキャリーバッグの基本構造を組み込んだものである。（図６−３）は、手提げバッグやファスナー付きバッグなどの１面側（バッグの前面もしくは後面）に、本考案のキャリーバッグの基本構造を組み込んだものである。（図６−２）（図６−３）の形態の場合には、携帯電子機器以外に他の物も一緒に持ち歩ける利点がある。例えば、書類、筆記具、女性の場合には化粧道具など通常バッグに入れて持ち歩くものを、一緒に本考案のキャリーバッグに入れて持ち歩けるのである。（図６−１）（図６−２）（図６−３）で説明されている図では、（ｉ）面の携帯電子機器の収納ポケットの数が３個で、（ｊ）面の形態電子機器の収納ポケットの数が１個になっているが、この収納ポケットの数は、キャリーバッグの使用用途に合わせて変更し製作することができる。また、（ｉ）面（ｊ）面の収納ポケットは、その面に直接取り付けて固定されている場合と、（図６−４）のように単独の携帯電子機器のポケットまたはケースの（ｉ）面（ｊ）面に接する面に面ファスナーを取り付け、キャリーバッグの（ｉ）面（ｊ）面側にも面ファスナーを取り付けることにより、単独の携帯電子機器のポケットまたはケースの脱着を可能にする形態である。
【符号の説明】
【００１５】（ａ）  コンセント
（ｂ）  ＡＣアダプター
（ｃ）  ＵＳＢ接続ハブポート
（ｄ）  携帯音楽再生機器用ＵＳＢ充電接続ケーブル
（ｅ）  携帯電話機器用ＵＳＢ充電接続ケーブル
（ｆ）  携帯ゲーム機器用ＵＳＢ充電接続ケーブル
（ｇ）  本考案キャリーバッグ本体の上部辺開口部
（ｈ）  本考案キャリーバッグ本体の側部辺開口部
（ｉ）  本考案キャリーバッグ本体の側面
（ｊ）  本考案キャリーバッグ本体の側面
（ｋ）  開口部平合わせの場合の説明図
（ｌ）  開口部山折り合わせの場合の説明図
【図１】
0003168460.tif 000003
【図２】
0003168460.tif 000004
【図３】
0003168460.tif 000005
【図４】
0003168460.tif 000006
【図５】
0003168460.tif 000007
【図６】
0003168460.tif 000008
【手続補正書】
【提出日】平成23年3月16日(2011.3.16)
【手続補正１】
【補正対象書類名】実用新案登録請求の範囲
【補正対象項目名】全文
【補正方法】変更
【補正の内容】
【実用新案登録請求の範囲】
【請求項１】
携帯電子機器を収納できるサイズのポケットを、生地表面に複数取り付けた四角の生地を背中合わせした状態で、上辺部と片方の側辺の一部に開口部を設け、その開口部以外の辺を縫い合わせることにより発生する収納スペースに、セルフパワー充電用ＵＳＢハブを収納し、側辺の一部開口部分から電源コードの出し入れを可能にし、ポケットに収納された携帯電子機器と充電用のＵＳＢケーブルを用いてセルフパワー充電用ＵＳＢハブと接続することにより、複数の携帯電子機器をポケットに収納したままの状態で同時に充電することを可能にした携帯電子機器充電用キャリーバッグ。
【請求項２】
四角の生地を背中合わせした上辺部と片方の側辺の一部の開口部分に、面ファスナーまたはボタンホックを取り付けことにより、充電に必要な電源コンセントコード、携帯電子機器に接続するＵＳＢケーブルのコードの位置を固定することができる請求項１記載の携帯電子機器充電用キャリーバッグ。